(57)【要約】      （修正有）【課題】簡単な構成で、操作性に優れ、かつ、耐久性に優れた係合具を提供する。【解決手段】ホックの略円柱形状をなす先頭部の円形をなす先端面の、少なくとも中心部に、永久磁石で形成する吸着部２４を備え、雌ホックの基体の内底部２０において、雌穴の内底部の中心位置から放射方向にずらした位置には、雄ホック５の先頭部が雌穴から基体の内部に係入され、基体の内底部に近接する状態で雄ホックの吸着部と吸着可能な永久磁石で形成される被吸着部２５を備える。基体の上面に、雌穴１３に連なり、少なくとも被吸着部に対応する位置まで放射方向に沿って延びる保持孔１９を備え、保持孔は、雄ホックの後方周部の外径と同じ又はこれよりも大きく、かつ、先端周部の外径よりも小さな開口サイズを備え、雌穴から基体の内部に係入された雄ホックは、突縁部８が保持孔内に保持されつつ、吸着部が被吸着部に吸着される位置まで移動し、この位置で係合される。【選択図】図４
0003199789.tif 000002
【実用新案登録請求の範囲】
【請求項１】
全体略凸条体からなり、略円柱形状をなす先頭部の先端周部が後方周部よりも放射方向で外方に張り出すようにして先頭部の先端周部に突縁部を備える雄ホックと、上記雄ホックの先頭部を係入する雌穴を上面に備えた全体略円筒形の基体を備える雌ホックと、からなる係合具において、
前記雄ホックの略円柱形状をなす先頭部の円形をなす先端面の、少なくとも中心部に、永久磁石で形成する吸着部を備え、
前記雌ホックの前記基体の内底部において、前記雌穴の内底部の中心位置から前記放射方向にずらした位置には、前記雄ホックの先頭部が前記雌穴から前記基体の内部に係入され、前記基体の内底部に近接する状態で前記雄ホックの吸着部と吸着可能な永久磁石で形成される被吸着部を備え、
前記基体の上面に、前記雌穴に連なり、少なくとも前記被吸着部に対応する位置まで前記放射方向に沿って延びる保持孔を備え、
前記保持孔は、前記雄ホックの前記後方周部の外径と同じ又はこれよりも大きく、かつ、前記先端周部の外径よりも小さな開口サイズを備え、
前記雌穴から前記基体の内部に係入された前記雄ホックは、前記突縁部が前記保持孔内に保持されつつ、前記吸着部が前記被吸着部に吸着される位置まで移動し、この位置で係合されることを特徴とする係合具。
【請求項２】
前記基体には、前記雌穴に対して、前記保持孔とは別の位置において連なって前記放射方向に延び、前記基体の周壁において外部へ開口するスリットが設けられ、前記スリットの開口幅は、前記雄ホックの前記先端周部の外径と同じ又はこれより大きいことを特徴とする請求項１に記載の係合具。
【請求項３】
前記被吸着部は、前記基体の内底部において、前記雌穴の内底部の外側に配置されていることを特徴とする請求項１又は請求項２に記載の係合具。
【請求項４】
前記保持孔は、前記雌穴よりも小さな内径を有する半円形をなしていることを特徴とする請求項１から請求項３のいずれか１項に記載の係合具。
【請求項５】
前記保持孔は、前記放射方向に沿って延び、一定の開口幅を有するスリット状をなしていることを特徴とする請求項１から請求項３のいずれか１項に記載の係合具。
【考案の詳細な説明】
【技術分野】
【０００１】
本発明は、例えば財布、セカンドバッグなどに使用され、止着する係合部と被係合部間の係合を行うための係合具に関する。
【背景技術】
【０００２】
従来、財布、セカンドバッグなどにおいて使用される係合具としては、押ホックが一般的とされる。押ホックとしては、特許文献１に示すように全体略凸条体からなり、略円柱形状をなす先頭部の先端周部が後方周部よりも放射方向で外方に張り出すようにして先頭部の先端周部に突縁部を備える雄ホックと、上記雄ホックの先頭部を係入する雌穴を、円形をなす上面中心に備えた全体略円筒形の基体を備え、該基体の内部には、雄ホックの先頭部が雌穴から係入される状態で略円柱形状をなす雄ホックの先頭部を中心に形成される孔部に係入する全体環状のものとされ、雄ホックの突縁部と係合又は係合解除することを可能とした係合体を、前記雌穴の内部に留置する状態で位置決めする雌ホックと、からなる。
すなわち、この種の係合具は、止着する係合部に雄ホックを、被係合部に雌ホックを支持させるようにし、係合部と被係合部間の係合又は係合解除を可能にしている。
【０００３】
また最近では、特許文献２に示すように係合具の一方の係合中心に永久磁石にて形成される吸着部を備えることとし、他方の被係合中心にも吸着部と吸着する永久磁石により形成される被吸着部を備えることとし、被吸着部と吸着部との相互吸引により、確実かつ位置合わせ可能に係合部と被係合部間の係合を可能とした係合具も提案されている。
【先行技術文献】
【特許文献】
【０００４】
【特許文献１】特開２００９−７２３２９号公報
【特許文献２】特許第３８４９１１３号公報
【考案の概要】
【考案が解決しようとする課題】
【０００５】
しかしながら、特許文献１に記載された係合具は、係合体が必要となるため部品点数が増え、製造工程が複雑となることに加え、通常弾性体で形成される係合体の弾性力が使用を繰り返すことで低下し、これにより雄ホックが雌ホックから容易に係合解除されてしまい易くなるという問題があった。また、特許文献２に記載の係合具は、少しの外力で係合部と被係合部の係合が解除されやすいという問題があった。
【０００６】
本発明は、こうした従来の不具合に着目してなされたものであり、簡単な構成で、操作性に優れ、かつ、耐久性に優れた係合具を提供することを目的としたものである。
【課題を解決するための手段】
【０００７】
上記課題を解決するために、本発明の係合具は、全体略凸条体からなり、略円柱形状をなす先頭部の先端周部が後方周部よりも放射方向で外方に張り出すようにして先頭部の先端周部に突縁部を備える雄ホックと、上記雄ホックの先頭部を係入する雌穴を上面に備えた全体略円筒形の基体を備える雌ホックと、からなる係合具において、雄ホックの略円柱形状をなす先頭部の円形をなす先端面の、少なくとも中心部に、永久磁石で形成する吸着部を備え、雌ホックの基体の内底部において、雌穴の内底部の中心位置から放射方向にずらした位置には、雄ホックの先頭部が雌穴から基体の内部に係入され、基体の内底部に近接する状態で雄ホックの吸着部と吸着可能な永久磁石で形成される被吸着部を備え、基体の上面に、雌穴に連なり、少なくとも被吸着部に対応する位置まで放射方向に沿って延びる保持孔を備え、保持孔は、雄ホックの後方周部の外径と同じ又はこれよりも大きく、かつ、先端周部の外径よりも小さな開口サイズを備え、雌穴から基体の内部に係入された雄ホックは、突縁部が保持孔内に保持されつつ、吸着部が被吸着部に吸着される位置まで移動し、この位置で係合されることを特徴とする。
【０００８】
本発明の係合具において、基体には、雌穴に対して、保持孔とは別の位置において連なって放射方向に延び、基体の周壁において外部へ開口するスリットが設けられ、スリットの開口幅は、雄ホックの先端周部の外径と同じ又はこれより大きいことを特徴とする。
【０００９】
本発明の係合具において、被吸着部は、基体の内底部において、雌穴の内底部の外側に配置されていることを特徴とする。
【００１０】
本発明の係合具において、保持孔は、雌穴よりも小さな内径を有する半円形をなしていることを特徴とする。
【００１１】
本発明の係合具において、保持孔は、放射方向に沿って延び、一定の開口幅を有するスリット状をなしていることを特徴とする。
【考案の効果】
【００１２】
本発明によると、簡単な構成で、操作性に優れ、かつ、耐久性に優れた係合具を提供することができる。
【図面の簡単な説明】
【００１３】
【図１】本発明の実施形態に係る係合具が取付けられるセカンドバッグを示す斜視図である。
【図２】係合具の雄ホックを雌ホックから係合解除した状態を示す斜視図である。
【図３】図２のIII部を拡大して示した状態を示す斜視図である。
【図４】雄ホックと雌ホックの構造を示す斜視図である。
【図５】雄ホックのセカンドバッグに対する取付け状態を示す斜視図である。
【図６】雌ホックの分解状態を示す斜視図である。
【図７】図４のＶII−ＶII線に沿い、雄ホックを雌ホックの基体における雌穴に係入する状態を示す断面図である。
【図８】図４のＶII−ＶII線に沿い、雄ホックの吸着部を雌ホックの基体側の被吸着部に吸着させた状態を示す断面図である。
【考案を実施するための形態】
【００１４】
以下、本発明の実施形態を図１から図８に基づいて説明する。図１から図８に示す実施形態は、押しホックとしての係合具１に関する。この係合具１は、例えば図１、図２に示すセカンドバッグ２において、開口部３を覆う係合部としての折り返し蓋４の内側に雄ホック５を、被係合部としての表片６の表面に雌ホック７を配設するようにして形成される（図２、図３参照）。
【００１５】
雄ホック５は、図３に示すように全体略凸条体からなり、先頭部５Ａを略円柱形状とし、基端部５Ｂを円板形状として形成してなる。略円柱形状をなす雄ホック５の先頭部５Ａは、その先端周部が後方周部８Ａよりも放射方向で外方に張り出すようにして先頭部５Ａの先端周部に突縁部８を備えるように形成している（図４参照）。
【００１６】
すなわち、雄ホック５は、折り返し蓋４を構成する図５に示す２枚の係合面材９Ａ、９Ｂのうち、係合面材９Ａに穿設される丸孔１０に基端部５Ｂの後面に形成される脚部１１を挿通し、係合面材９Ａと係合面材９Ｂの間に配設される止めネジ１２を脚部１１形成されるネジ孔（不図示）に螺合し、折り返し蓋４の内側の係合面材９Ａに雄ホック５を止着させるようにしている（図７〜図８参照）。この結果、折り返し蓋４の内側に、雄ホック５が先頭部５Ａを露出する状態で位置決めされることとなる（図２参照）。なお、係合面材９Ａと係合面材９Ｂは相互に縫合され、折り返し蓋４を構成するようにしている。
【００１７】
一方、雄ホック５の先頭部５Ａを、図３の矢印Ａ方向に向けて係合可能とする雌ホック７は、雄ホック５の先頭部５Ａを矢印Ａ方向に係入する雌穴１３を、円形をなす上面に備える全体略円筒形状のものとされ、全体略円筒形状の基体１４を備えるものとされる（図３、図４参照）。
【００１８】
すなわち、雌ホック７は、図６に示すように全体円筒形状の基体本体１４Ａを、全体円板形状の支持基体１４Ｂ上に同心状に固定させて形成される（図６参照）。基体本体１４Ａと支持基体１４Ｂは、例えば成形によって一体物として製造する。基体１４において、基体本体１４Ａの内面と支持基体１４Ｂの表面２０（基体表面）によって、雄ホック５の先頭部５Ａが係入される空間１４Ｃが形成される。
【００１９】
雌ホック７は、図６に示すように円板形状の支持基体１４Ｂの後面に形成される脚部１５を、セカンドバッグ２の表片６を構成する２枚の被係合面材１６Ａ、１６Ｂのうち、被係合面材１６Ａに穿設される丸孔１７に挿通し、被係合面材１６Ａと被係合面材１６Ｂの間に配設される止めリング１８を該脚部１５に取着し、表片６に止着するようにしている（図２参照）。なお、被係合面材１６Ａと被係合面材１６Ｂは相互に縫合され、表片６を構成するようにしている。
【００２０】
ここで雌穴１３内に向けて矢印Ａ方向に係入される雄ホック５の円柱形状をなす先頭部５Ａの円形をなす先端面の中心位置には、図４、図５、図７、又は図８に示すように永久磁石を埋設する状態で吸着部２４が備えられ、形成される。一方、図４、図６に示すように基体１４の支持基体１４Ｂの円形の基体表面２０には、その中心２０Ｃから、基体表面２０の径方向にずらした位置に、雄ホック５の先頭部５Ａが雌穴１３から基体１４の内部に係入された状態で、前記雄ホック５の吸着部２４と相互に吸引し合い、吸着可能な被吸着部２５が備えられる。ここで、中心２０Ｃは、支持基体１４Ｂの基体表面２０のうち、雌穴１３の内底部にあたる略円形の領域１３Ａ（雌穴１３を基体表面２０上に投影した領域）（図６）の中心と一致する。また、支持基体１４Ｂの基体表面２０は基体１４の内底部を構成する。
【００２１】
基体本体１４Ａの上面には、径方向において雌穴１３に連なるとともに、被吸着部２５に対応する位置に至るように半円形の保持孔１９が形成されている。この保持孔１９は、雌穴１３と同様に、基体本体１４Ａの上面を上下に貫通して空間１４Ｃに至るように形成されている。保持孔１９の最大開口径は、雄ホック５の後方周部８Ａの外径Ｗ１（図４）と同じ又はこれよりも大きく、かつ、突縁部８の外径Ｗ２（図４）よりも小さくされている。一方、雌穴１３の最大開口径は、雄ホック５の突縁部８の外径Ｗ２と同じ又はこれより大きくされている。
【００２２】
被吸着部２５は、図７と図８に示すように、支持基体１４Ｂに永久磁石を埋設するようにして形成される。被吸着部２５は、支持基体１４Ｂの基体表面２０のうち、保持孔１９の内底部にあたる略円形の領域１９Ａ（保持孔１９を基体表面２０上に投影した領域）（図６）内に配置されており、少なくとも、被吸着部２５の中心位置は、基体表面２０の中心２０ｃからずれた位置とされている。ここで、被吸着部２５は、雄ホック５の先頭部５Ａの先端面における吸着部２４の磁石極性（例えばＮ極）と異なる極性（Ｓ極）の吸引力を作用させるように構成されている。また、被吸着部２５を雌穴１３の内底部の外側に配置すると、被吸着部２５の吸引力によって雌ホック７に係合された状態の雄ホック５を上下に動かしても、突縁部８が保持孔１９に突き当たり、雄ホック５が雌穴１３から抜けにくくなるため好ましい。
【００２３】
基体１４の雌穴１３には、周方向（図４のθ方向）において、保持孔１９とは反対の位置から径方向へ連なるスリット２８が形成されている。このスリット２８は、基体本体１４Ａの上面を上下に貫通するとともに、基体本体１４Ａの放射方向（径方向）に延びて基体１４の周壁１４Ｄにおいて外部へ通じている。スリット２８の開口幅は、雄ホック５の後方周部８Ａの外径Ｗ１と同じ又はこれよりも大きく、かつ、突縁部８の外径Ｗ２よりも小さくされている。
【００２４】
以上の構成によれば、図７に示すように雌穴１３から空間１４Ｃ内に雄ホック５の先頭部５Ａを係入すると、先頭部５Ａの先端面に設けた吸着部２４と支持基体１４Ｂに設けた被吸着部２５との間に働く磁気的な吸引力によって、雄ホック５は、空間１４Ｃ内を矢印Ｄ１方向（図８）に移動する。そして、雄ホック５は、図８に示すような、吸着部２４と被吸着部２５が互いに対向接触する位置で停止し、吸着部２４と被吸着部２５との間の吸引力によって、この位置に保持され、その結果、雄ホック５と雌ホック７が互いに係合される。この状態においては、突縁部８の外径Ｗ２と保持孔１９の開口径との関係により、雄ホック５を上方向（図８の上方向）に移動させようとしても、突縁部８が保持孔１９の内面に突き当たるため、雄ホック５の先頭部５Ａを基体１４の外側へ引き出すことはできず、吸着部２４と被吸着部２５との間の吸引力によって係合状態が保持される。
【００２５】
これに対して、雄ホック５を、矢印Ｄ１方向とは反対向きの矢印Ｄ２方向に移動させ、雄ホック５の先頭部５Ａを雌穴１３の位置に配置させた状態で雄ホック５を上方向へ移動させると、突縁部８の外径Ｗ２と雌穴１３の開口径との関係により、雄ホック５を雌穴１３から外部へ取り出すことが可能となり、雄ホック５と雌ホック７との係合状態を解除することができる。
なお、雄ホック５と雌ホック７の係合の解除は、矢印Ｄ２方向に移動させた雄ホック５をスリット２８を通じて外部へ取り出すことによっても可能である。
【００２６】
この結果、簡単な構成でありながら、簡易な操作により、雄ホック５と雌ホック７との係合及び係合解除が可能となり、これにより、操作性と耐久性に優れた係合具を提供することができる。
【００２７】
上記実施形態においては、保持孔１９を半円形としたが、開口サイズが雄ホック５の後方周部８Ａの外径Ｗ１（図４）と同じ又はこれよりも大きく、かつ、突縁部８の外径Ｗ２（図４）よりも小さくされていれば、これ以外の形状、例えばスリット状であってもよい。
【００２８】
また、上記実施形態によれば、吸着部２４を雄ホック５の先頭部における円形をなす先端面の中心部に永久磁石を埋設するように形成しているが、例えば先端面の全体に永久磁石を貼り付け、先端面の全体を吸着部２４としてもよい。
本発明について上記実施形態を参照しつつ説明したが、本発明は上記実施形態に限定されるものではなく、改良の目的または本発明の思想の範囲内において改良または変更が可能である。
【産業上の利用可能性】
【００２９】
以上のように、本発明は、雄ホック側において多少の外力が加わった状態においても雄ホックが雌ホックから容易に離脱することもなく、簡単な操作により雄ホックを雌ホックから係合解除することが可能となるため、財布、セカンドバッグなど、係合具を必要とする様々な商品に取付け、応用することが可能となる。
【符号の説明】
【００３０】
１              係合具（押しホック）
２              セカンドバッグ
５              雄ホック
５Ａ            先頭部
５Ｂ            基端部
７              雌ホック
８              突縁部
８Ａ            後方周部
１３            雌穴
１３Ａ          領域（内底部）
１４            基体
１４Ａ          基体本体
１４Ｂ          支持基体
１４Ｃ          空間
１４Ｄ          周壁
１９            保持孔
１９Ａ          領域（内底部）
２０            基体表面（内底部）
２０Ｃ          中心
２４            吸着部
２５            被吸着部
２８            スリット
【図１】
0003199789.tif 000003
【図２】
0003199789.tif 000004
【図３】
0003199789.tif 000005
【図４】
0003199789.tif 000006
【図５】
0003199789.tif 000007
【図６】
0003199789.tif 000008
【図７】
0003199789.tif 000009
【図８】
0003199789.tif 000010